(57)【要約】【課題】複数の容器が並列されてなる容器群を被包フィルムにより包装してなる包装製品であって、片手で保持し、持ち運ぶことが容易な包装製品を提供する。【解決手段】包装製品は、複数の容器が並列されてなる容器群と、容器群の上面部を覆う上面板と、上面板及び容器群に密着するようにして、それらを一括して覆う被包フィルムとを備え、上面板には、折曲可能な基部と、基部の両端部に連続する切込線とにより構成され、容器群の上面部側に押込可能な押込片が少なくとも１つ設けられている。【選択図】図１
2016052899.tif 000002
【特許請求の範囲】
【請求項１】
複数の容器が並列されてなる容器群と、
前記容器群の上面部を覆う上面板と、
前記上面板及び前記容器群に密着するようにして、それらを一括して覆う被包フィルムと
を備え、
前記上面板には、折曲可能な基部と、当該基部の両端部に連続する切込線とにより構成され、前記容器群の上面部側に押込可能な押込片が少なくとも１つ設けられていることを特徴とする包装製品。
【請求項２】
複数の容器が並列されてなる容器群と、
前記容器群の上面部を覆う上面板と、
前記上面板及び前記容器群に密着するようにして、それらを一括して覆う被包フィルムと
を備え、
前記上面板には、少なくとも１つの指差孔が形成されていることを特徴とする包装製品。
【請求項３】
前記被包フィルムには、前記上面板の前記押込片又は前記指差孔に対応する位置に、第１切込線が形成されていることを特徴とする請求項１又は２に記載の包装製品。
【請求項４】
前記第１切込線は、前記押込片を構成する前記切込線又は前記指差孔の外縁部に実質的に沿うようにして形成されていることを特徴とする請求項３に記載の包装製品。
【請求項５】
前記被包フィルムには、第２切込線がさらに形成されており、
前記第２切込線は、その一端部が前記第１切込線に連続していることを特徴とする請求項３又は４に記載の包装製品。
【請求項６】
前記押込片を構成する前記切込線は、当該切込線の両端部が前記基部の両端部近傍に位置する湾曲形状を有し、
前記第１切込線は、前記湾曲形状の前記切込線に実質的に沿う第１湾曲切込線及び第２湾曲切込線と、前記基部側に突出する略Ｕ字状切込線とを含み、
前記第１湾曲切込線及び前記第２湾曲切込線の一端部のそれぞれは、前記基部の両端部上に実質的に位置し、
前記略Ｕ字状切込線は、前記第１湾曲切込線及び前記第２湾曲切込線の互いに対向する他端部間に連続し、
前記第２切込線は、前記略Ｕ字状切込線の両端部近傍において前記第１湾曲切込線及び前記第２湾曲切込線のそれぞれに一端部が連続する２本の切込線により構成されることを特徴とする請求項５に記載の包装製品。
【請求項７】
前記押込片を構成する前記切込線は、当該切込線の両端部が前記基部の両端部近傍に位置する湾曲形状を有し、
前記第１切込線は、その両端部が前記基部の両端部上に実質的に位置する湾曲形状を有し、かつ前記第１切込線の一部が前記押込片上に位置するように、前記被包フィルムに形成されていることを特徴とする請求項５に記載の包装製品。
【請求項８】
前記押込片を構成する前記切込線は、第１湾曲形状部及び第２湾曲形状部と、前記基部から遠ざかる方向に突出する略Ｕ字状部とを含み、
前記第１湾曲形状部及び前記第２湾曲形状部の一端部は、それぞれ、前記基部の両端部の近傍に位置し、
前記略Ｕ字状部は、前記第１湾曲形状部及び前記第２湾曲形状部の互いに対向する他端部間に連続し、
前記第１切込線は、前記第１湾曲形状部及び前記第２湾曲形状部に実質的に沿った湾曲形状を有し、
前記第２切込線は、前記略Ｕ字状部を間に挟むようにして前記第１切込線に一端部が連続する２本の切込線により構成されることを特徴とする請求項５に記載の包装製品。
【請求項９】
複数の容器が並列されてなる容器群と、
前記容器群の上面部を覆う上面板と、
前記上面板及び前記容器群に密着するようにして、それらを一括して覆う被包フィルムと
を備え、
前記上面板には、折曲可能な基部と、当該基部の両端部に連続する切込線とにより構成され、前記容器群の上面部側に押込可能な押込片が少なくとも１つ設けられており、
前記被包フィルムには、前記押込片の少なくとも一部が露出する開口部が形成されていることを特徴とする包装製品。
【請求項１０】
前記被包フィルムには、前記開口部に一端部が連続する切込線がさらに形成されていることを特徴とする請求項９に記載の包装製品。
【請求項１１】
前記切込線の一端部は、前記開口部の周縁部のうち前記押込片上に位置する部分に連続していることを特徴とする請求項１０に記載の包装製品。
【請求項１２】
前記上面板には、複数の前記押込片が形成されており、
前記被包フィルムには、前記複数の押込片のそれぞれに対応する複数の前記開口部が形成されていることを特徴とする請求項９〜１１のいずれかに記載の包装製品。
【請求項１３】
前記上面板には、複数の前記押込片が形成されており、
前記被包フィルムには、前記複数の押込片のそれぞれの一部が少なくとも露出する一の前記開口部が形成されていることを特徴とする請求項９〜１１のいずれかに記載の包装製品。
【請求項１４】
前記被包フィルムは、略方形状の熱収縮性樹脂フィルムを前記上面板及び前記容器群に巻き付けた状態で加熱し、当該熱収縮性樹脂フィルムを熱収縮させることで、前記上面板及び前記容器群に密着させてなるものであることを特徴とする請求項１〜１３のいずれかに記載の包装製品。
【請求項１５】
前記上面板の略中央上の所定の領域における前記被包フィルムの引張強度と前記包装製品の総重量とが、下記式に示す関係を有することを特徴とする請求項１〜１４のいずれかに記載の包装製品。
Ａ≧０．６×ｇ×Ｂ
式中、Ａは「被包フィルムの引張強度（Ｎ）」を、Ｂは「包装製品の総重量（ｋｇ）」を、ｇは「重力加速度（ｍ／ｓｅｃ2）」を表す。
【請求項１６】
請求項１〜１５のいずれかに記載の包装製品が段ボール製包装箱に複数個収納されてなることを特徴とする段ボール包装製品。
【請求項１７】
請求項１〜１５のいずれかに記載の包装製品を複数並列し、当該複数の包装製品が一括して熱収縮性樹脂フィルムにて覆われてなることを特徴とする樹脂フィルム包装製品。
【発明の詳細な説明】
【技術分野】
【０００１】
本発明は、ビール、発泡酒、チューハイ等のアルコール飲料、ジュース、コーヒー、紅茶、茶等のノンアルコール飲料等の飲料が充填された容器を複数本まとめて包装し、運搬可能な包装製品に関する。
【背景技術】
【０００２】
従来、缶ビール、缶ジュース等の容器の包装形態として、当該容器を複数個、一列で又は複数列で起立させた状態のまま並列させてなる容器群の上面（天面）、側面及び下面（底面）を包み込むようにして包装することのできる紙製のマルチパック用包装箱が使用されている。かかるマルチパック用包装箱は、一般に、容器群の上面（天面）を覆う上面板、上面板の対向する両端部のそれぞれに連接され、容器群の側面を覆う側面板、及び各側面板の端部に連接され、容器群の下面（底面）を覆う底面板を備え、側面板が存在しない両端部において容器群の少なくとも一部の側面を視認可能な開口部が形成されている。
【０００３】
このようなマルチパック用包装箱を使用することにより、複数個の缶ビールや缶ジュース等を１個の包装体に纏め、一度にかつ簡易に持ち運ぶことができるようになり、さらに、纏め売りの効果も相俟って、当該マルチパック用包装箱の使用が近年急速に拡大しつつある。
【０００４】
一方で、上記容器群を一括して包装するマルチパック用包装箱の製造コストをさらに低減することが要求されている。しかしながら、マルチパック用包装箱の製造コストを低減するには紙量を減らす必要があるものの、複数の容器がまとめて確実に保持されなければならないため、製造コストのさらなる低減は困難を極める。また、マルチパック包装箱の廃棄時のゴミの減容化、省資源化等が要求されるが、同様に、そのような要求に応えることも困難を極める。そこで、マルチパック用包装箱に替わる包装形態として、複数個の容器を並列させてなる容器群を熱収縮性樹脂フィルムにより包装したオーバーラップ包装製品が提案されている（特許文献１，２参照）。
【先行技術文献】
【特許文献】
【０００５】
【特許文献１】特開２０１４−５００５号公報
【特許文献２】特開２００４−３１５０３０号公報
【発明の概要】
【発明が解決しようとする課題】
【０００６】
従来のオーバーラップ包装製品においては、複数個の容器を並列させてなる容器群に略方形状の熱収縮性樹脂フィルムを筒状に巻き付けた状態で加熱し、熱収縮性樹脂フィルムを熱収縮させて当該容器群に密着させることで、熱収縮性樹脂フィルムが熱収縮してなる被包フィルムにより当該容器群が包装されている。
【０００７】
しかしながら、かかるオーバーラップ包装製品を片手で持ち運ぶことが困難である。特許文献１に記載のオーバーラップ包装製品は、対向する一対の側面に開口部が形成されるようにして被包フィルムにより容器群が包装されてなるものであって、当該被包フィルムの開口部を把持することで持ち運ぶことができる。しかしながら、熱収縮性樹脂フィルムが熱収縮してなる被包フィルムは、容器群に緊密に密着しているため、開口部と容器群との間隙が小さく、当該開口部に手指を引っ掛けてオーバーラップ包装製品を把持するのは困難であるという問題がある。
【０００８】
また、特許文献２に記載のオーバーラップ包装製品は、取っ手が取り付けられているため、当該取っ手を把持することで容易に持ち運び可能となっている。しかしながら、オーバーラップ包装製品（被包フィルム）に取っ手等を取り付けるのは、製造工程（包装工程）が煩雑になるという問題もある。
【０００９】
上記課題に鑑みて、本発明は、複数の容器が並列されてなる容器群を被包フィルムにより包装してなる包装製品であって、容易に持ち運ぶことのできる包装製品を提供することを目的とする。
【課題を解決するための手段】
【００１０】
上記課題を解決するために、本発明は、複数の容器が並列されてなる容器群と、前記容器群の上面部を覆う上面板と、前記上面板及び前記容器群に密着するようにして、それらを一括して覆う被包フィルムとを備え、前記上面板には、折曲可能な基部と、当該基部の両端部に連続する切込線とにより構成され、前記容器群の上面部側に押込可能な押込片が少なくとも１つ設けられていることを特徴とする包装製品を提供する（発明１）。
【００１１】
また、本発明は、複数の容器が並列されてなる容器群と、前記容器群の上面部を覆う上面板と、前記上面板及び前記容器群に密着するようにして、それらを一括して覆う被包フィルムとを備え、前記上面板には、少なくとも１つの指差孔が形成されていることを特徴とする包装製品を提供する（発明２）。
【００１２】
上記発明（発明１）のように、容器群の上面部を覆う上面板に押込片が設けられ、上面板と容器群とが被包フィルムにより一括して覆われていることで、被包フィルムのうち押込片上の部分から当該押込片を容器群の上面部側に押し込むように押圧すると、押込片上の被包フィルムが切断される。それと同時に、押込片が容器群側に押し込まれることにより、上面板側に手指を挿入可能な指差孔が形成される。したがって、上記発明（発明１）によれば、当該指差孔に手指を挿入することで、包装製品を容易に持ち運ぶことができる。
【００１３】
また、上記発明（発明２）のように、容器群の上面部を覆う上面板に指差孔が形成され、上面板と容器群とが被包フィルムにより一括して覆われていることで、指差孔上の被包フィルムを容器群の上面部側に向かって押圧すると、当該指差孔上の被包フィルムが切断される。したがって、上記発明（発明２）によれば、指差孔に手指を挿入することで、包装製品を容易に持ち運ぶことができる。
【００１４】
上記発明（発明１，２）において、前記被包フィルムには、前記上面板の前記押込片又は前記指差孔に対応する位置に、第１切込線が形成されているのが好ましい（発明３）。かかる発明（発明３）によれば、被包フィルムの押込片又は指差孔に対応する位置に第１切込線が形成されているため、被包フィルムのうち押込片又は指差孔上の部分を押圧すると、第１切込線に沿って被包フィルムを容易に切断することができる。
【００１５】
なお、「押込片又は指差孔に対応する位置」とは、押込片又は指差孔上から被包フィルムを押圧したときの応力により第１切込線に沿って被包フィルムが切断され得る位置を意味し、当該位置は、押込片又は指差孔上であってもよいし、押込片又は指差孔から数ｍｍ（例えば１〜２ｍｍ）程度ずれた位置であってもよい。
【００１６】
上記発明（発明３）においては、前記第１切込線は、前記押込片を構成する前記切込線又は前記指差孔の外縁部に実質的に沿うようにして形成されているのが好ましい（発明４）。なお、「第１切込線が押込片を構成する切込線又は指差孔の外縁部に実質的に沿う」とは、第１切込線が押込片を構成する切込線又は指差孔の外縁部と同一形状を有する場合の他、当該切込線又は外縁部と近似した形状を有する場合をも含み、さらには、第１切込線と押込片を構成する切込線又は指差孔の外縁部とが同一形状であり、包装製品においてそれらが１〜２ｍｍ程度ずれて位置している場合をも含む趣旨である。
【００１７】
上記発明（発明３，４）においては、前記被包フィルムには、第２切込線がさらに形成されており、前記第２切込線は、その一端部が前記第１切込線に連続しているのが好ましい（発明５）。
【００１８】
上記発明（発明５）においては、前記押込片を構成する前記切込線は、当該切込線の両端部が前記基部の両端部近傍に位置する湾曲形状を有し、前記第１切込線は、前記湾曲形状の前記切込線に実質的に沿う第１湾曲切込線及び第２湾曲切込線と、前記基部側に突出する略Ｕ字状切込線とを含み、前記第１湾曲切込線及び前記第２湾曲切込線の一端部のそれぞれは、前記基部の両端部上に実質的に位置し、前記略Ｕ字状切込線は、前記第１湾曲切込線及び前記第２湾曲切込線の互いに対向する他端部間に連続し、前記第２切込線は、前記略Ｕ字状切込線の両端部近傍において前記第１湾曲切込線及び前記第２湾曲切込線のそれぞれに一端部が連続する２本の切込線により構成され得る（発明６）。
【００１９】
上記発明（発明５）においては、前記押込片を構成する前記切込線は、当該切込線の両端部が前記基部の両端部近傍に位置する湾曲形状を有し、前記第１切込線は、その両端部が前記基部の両端部上に実質的に位置する湾曲形状を有し、かつ前記第１切込線の一部が前記押込片上に位置するように、前記被包フィルムに形成され得る（発明７）。
【００２０】
上記発明（発明５）においては、前記押込片を構成する前記切込線は、第１湾曲形状部及び第２湾曲形状部と、前記基部から遠ざかる方向に突出する略Ｕ字状部とを含み、前記第１湾曲形状部及び前記第２湾曲形状部の一端部は、それぞれ、前記基部の両端部の近傍に位置し、前記略Ｕ字状部は、前記第１湾曲形状部及び前記第２湾曲形状部の互いに対向する他端部間に連続し、前記第１切込線は、前記第１湾曲形状部及び前記第２湾曲形状部に実質的に沿った湾曲形状を有し、前記第２切込線は、前記略Ｕ字状部を間に挟むようにして前記第１切込線に一端部が連続する２本の切込線により構成され得る（発明８）。
【００２１】
さらに、本発明は、複数の容器が並列されてなる容器群と、前記容器群の上面部を覆う上面板と、前記上面板及び前記容器群に密着するようにして、それらを一括して覆う被包フィルムとを備え、前記上面板には、折曲可能な基部と、当該基部の両端部に連続する切込線とにより構成され、前記容器群の上面部側に押込可能な押込片が少なくとも１つ設けられており、前記被包フィルムには、前記押込片の少なくとも一部が露出する開口部が形成されていることを特徴とする包装製品を提供する（発明９）。
【００２２】
上記発明（発明９）においては、前記被包フィルムには、前記開口部に一端部が連続する切込線がさらに形成されているのが好ましく（発明１０）、かかる発明（発明１０）においては、前記切込線の一端部は、前記開口部の周縁部のうち前記押込片上に位置する部分に連続しているのが好ましい（発明１１）。
【００２３】
上記発明（発明９〜１１）においては、前記上面板には、複数の前記押込片が形成されており、前記被包フィルムには、前記複数の押込片のそれぞれに対応する前記開口部が形成され得る（発明１２）。
【００２４】
上記発明（発明９〜１１）においては、前記上面板には、複数の前記押込片が形成されており、前記被包フィルムには、前記複数の押込片のそれぞれの一部が少なくとも露出する一の前記開口部が形成され得る（発明１３）。
【００２５】
上記発明（発明１〜１３）においては、前記被包フィルムは、略方形状の熱収縮性樹脂フィルムを前記上面板及び前記容器群に巻き付けた状態で加熱し、当該熱収縮性樹脂フィルムを熱収縮させることで、前記上面板及び前記容器群に密着させてなるものであるのが好ましい（発明１４）。
【００２６】
上記発明（発明１〜１４）においては、前記上面板の略中央上の所定の領域における前記被包フィルムの引張強度と前記包装製品の総重量とが、下記式に示す関係を有するのが好ましい（発明１５）。
Ａ≧０．６×ｇ×Ｂ
式中、Ａは「被包フィルムの引張強度（Ｎ）」を、Ｂは「包装製品の総重量（ｋｇ）」を、ｇは「重力加速度（ｍ／ｓｅｃ2）」を表す。
【００２７】
さらにまた、本発明は、上記発明（発明１〜１５）に係る包装製品が段ボール製包装箱に複数個収納されてなることを特徴とする段ボール包装製品を提供する（発明１６）。
【００２８】
また、本発明は、上記発明（発明１〜１５）に係る包装製品を複数並列し、当該複数の包装製品が一括して熱収縮性樹脂フィルムにて覆われてなることを特徴とする樹脂フィルム包装製品を提供する（発明１７）。
【発明の効果】
【００２９】
本発明によれば、複数の容器が並列されてなる容器群を被包フィルムにより包装してなる包装製品であって、容易に持ち運ぶことのできる包装製品を提供することができる。
【図面の簡単な説明】
【００３０】
【図１】図１は、本発明の一実施形態に係る包装製品を示す斜視図である。
【図２】図２は、本発明の一実施形態に係る包装製品において上面板の押込片が押し込まれて指差孔が形成された状態を示す斜視図である。
【図３】図３は、本発明の一実施形態における容器の概略構成を示す斜視図である。
【図４】図４（Ａ）及び（Ｂ）は、本発明の一実施形態における上面板の押込片（切込線）の形状を示す平面図である。
【図５】図５は、本発明の一実施形態における上面板及び側面板の態様を示す展開図である。
【図６】図６は、本発明の一実施形態における被包フィルムの第１切込線及び第２切込線の態様（形状）を示す平面図である。
【図７】図７（Ａ）及び（Ｂ）は、本発明の一実施形態における被包フィルムの第１切込線の他の態様（形状）を示す平面図（その１）である。
【図８】図８（Ａ）及び（Ｂ）は、本発明の一実施形態における被包フィルムの第１切込線の他の態様（形状）を示す平面図（その２）である。
【図９】図９（Ａ）及び（Ｂ）は、本発明の一実施形態における被包フィルムの第２切込線の他の態様（形状）を示す平面図である。
【図１０】図１０は、本発明の一実施形態に係る包装製品において包装される容器の個数を２個に変更した態様を示す平面図である。
【図１１】図１１（Ａ）及び（Ｂ）は、本発明の一実施形態における被包フィルムの他の態様を示す平面図である。
【図１２】図１２は、本発明の一実施形態における上面板の他の態様を示す平面図である。
【発明を実施するための形態】
【００３１】
以下、本発明の一実施形態に係る包装製品について、図面を参照しながら説明する。図１は、本実施形態に係る包装製品を示す斜視図であり、図２は、本実施形態に係る包装製品において上面板の押込片が押し込まれて指差孔が形成された状態を示す斜視図である。
【００３２】
図１及び図２に示すように、本実施形態に係る包装製品１は、複数（６個）の容器２としての飲料缶（ビール缶等）を並列配置（２×３列）してなる容器群と、当該容器群の上面部を覆う紙製の上面板３と、容器群及び上面板３を一括して覆う被包フィルム４とを備える。
【００３３】
図３に示すように、容器２は、容器胴部２１と、容器胴部２１の開口上端を覆う缶蓋２２と、開口上端を缶蓋２２の周縁で巻き締めることにより形成された環状の巻締部２３とを有する。容器２の上部近傍は、当該巻締部２３と、巻締部２３よりも下方に位置する肩部２４と、巻締部２３から肩部２４に向かって徐々に拡径する拡径部２５とにより構成される。なお、本実施形態における容器２は、このような態様に限定されるものではない。
【００３４】
図４（Ａ）及び（Ｂ）に示すように、上面板３は、８角形のコーナーカット形状を有し、並列した複数の容器２の上面の略全面（容器群の上面部）を覆うことのできる大きさを有する。この上面板３の表面は、包装製品１において包装される飲料缶の商品名、広告等を印刷可能な印刷面等として構成される。本実施形態における上面板３は紙製であるが、このような態様に限定されるものではなく、樹脂製のものであってもよい。なお、本実施形態に係る包装製品１は、上面板３と、上面板３の一辺に折れ線６を介して連接する側面板５とを有していてもよい（図５参照）。このような態様の包装製品１においては、側面板５の表面も印刷面等として利用することができる。
【００３５】
本実施形態において、図４（Ａ）に示すように、上面板３には、２つの押込片３１が設けられている。押込片３１は、上面板３の短手方向（図４（Ａ）における縦方向）と略平行の折曲可能な基部３２と、当該基部３２の両端部に連続する、湾曲形状の切込線（ミシン目）３３とにより構成される。押込片３１上を押圧すると、切込線３３に沿って上面板３が切断され、押込片３１が容器群の上面部側に向かって押し込まれる。これにより、上面板３に指差孔３４（図２参照）が形成される。この指差孔３４に手指を挿入することで、本実施形態に係る包装製品１を容易に持ち運ぶことができる。
【００３６】
上記押込片３１を構成する切込線３３の形状は、図４（Ａ）に示す形状に限定されるものではない。例えば、図４（Ｂ）に示すように、押込片３１’を構成する切込線３３は、一端部が基部３２の一端部の近傍に位置する第１湾曲形状部３３１と、一端部が基部３２の他端部の近傍に位置する第２湾曲形状部３３２と、第１湾曲形状部３３１及び第２湾曲形状部３３２の互いに対向する他端部間に連続し、基部３２から遠ざかる方向に突出する略Ｕ字状部３３３とを含むものであってもよい。
【００３７】
上面板３の坪量は、押込片３１が押し込まれることにより形成される指差孔３４に手指を挿入して包装製品１を持ち運ぶ際に、上面板３が破損しない程度の強度が発揮され得る範囲で適宜設定され得るものであり、例えば、１９０〜６００ｇ／ｍ2程度、好ましくは２７０〜４５０ｇ／ｍ2程度に設定され得る。本実施形態においては、容器群とともに上面板３が被包フィルム４により一括して覆われることで、包装製品１の強度（引張強度）を向上させることができるが、上面板３の坪量が１９０ｇ／ｍ2未満であると、所望とする強度（引張強度）が発揮されないおそれがある。一方で、上面板３の坪量が６００ｇ／ｍ2を超えると、包装製品１の製造コストが増大してしまうおそれがある。
【００３８】
被包フィルム４は、ポリエステル系樹脂、オレフィン系樹脂、スチレン系樹脂、塩化ビニル系樹脂等からなる熱収縮性を有する透明又は半透明の樹脂フィルム（一般に、シュリンクフィルム等と称される）により構成される。なお、「透明」又は「半透明」とは、被包フィルム４により一括して覆われる容器群及び上面板３を視認可能な程度に透明又は半透明であることを意味し、特に上面板３の表面の印刷を視認可能な程度に透明又は半透明であるのが好ましい。
【００３９】
被包フィルム４には、上面板３の押込片３１に対応する位置に第１切込線４１が形成されている。押込片３１に対応する位置とは、被包フィルム４を押込片３１上から押圧したときに、第１切込線４１に沿って被包フィルム４が切断され得る位置である。このような位置に第１切込線４１が形成されていることで、押込片３１に対して被包フィルム４上から押圧したとき、この第１切込線４１に沿って被包フィルム４が容易に切断される。よって、押込片３１を容器群側に押し込むことができるとともに、上面板３に容易に指差孔３４を形成することができる。
【００４０】
図６に示すように、本実施形態における第１切込線４１は、押込片３１を構成する切込線３３に実質的に沿った湾曲形状（略円弧状）を有するが、このような態様に限定されるものではない。
【００４１】
例えば、図７（Ａ）に示すように、第１切込線４１１は、押込片３１上に位置する１本の切込線により構成されていてもよい。また、図７（Ｂ）に示すように、第１切込線４１２は、押込片３１上に位置する十字状の切込線により構成されていてもよい。１本又は十字状の第１切込線４１１，４１２が押込片３１上に位置していることで、第１切込線４１１，４１２上から押込片３１に対して押圧することで、第１切込線４１１，４１２に沿って容易に被包フィルム４を切断することができる。なお、図７（Ａ）及び（Ｂ）に示す場合において、第１切込線４１１，４１２の長さは、第１切込線４１１，４１２に沿って切断したときの被包フィルム４に形成される切り込み（開口）に手指を挿入可能な程度に適宜設定され得る。
【００４２】
また、図８（Ａ）に示すように、第１切込線４１３は、湾曲形状の切込線３３に実質的に沿った形状を有するが、その略中央部分が基部３２側に略Ｕ字状に突出する形状を有していてもよい。すなわち、第１切込線４１３は、一端部が基部３２の両端部上に実質的に位置し、湾曲形状の切込線３３に実質的に沿う第１湾曲切込線４１３Ａ及び第２湾曲切込線４１３Ｂと、第１湾曲切込線４１３Ａ及び第２湾曲切込線４１３Ｂの互いに対向する他端部間に連続し、基部３２側に突出する略Ｕ字状切込線４１３Ｃを含むものであってもよい。
【００４３】
さらに、図８（Ｂ）に示すように、第１切込線４１４は、湾曲形状の切込線３３に実質的に沿った形状を有するが、その略中央部分が押込片３１上に位置するような形状を有していてもよい。
【００４４】
本実施形態において、被包フィルム４には、互いに略平行な２本の第２切込線４２，４２が形成されており、各第２切込線４２の一端部は、第１切込線４１に連続している。この２本の第２切込線４２，４２間の部分が、包装製品１を開封するための引き裂き帯を構成し、当該引き裂き帯を持って第２切込線４２，４２に沿って被包フィルム４を切断することで、包装製品１を容易に開封することができる。
【００４５】
本実施形態において、２本の第２切込線４２，４２の間隔（引き裂き帯の短手方向の幅）は、特に限定されるものではないが、当該間隔を長く設定する程に、包装製品１の開封がより容易になる。
【００４６】
特に、図８（Ａ）及び（Ｂ）に示す形状の第１切込線４１３，４１４が被包フィルム４に形成されていれば、第１切込線４１３，４１４に沿って被包フィルム４が切断されたときに、第２切込線４２，４２により構成される引き裂き帯を把持しやすく、より容易に包装製品１を開封することができる。
【００４７】
また、図４（Ｂ）に示す形状の押込片３１が上面板３に設けられていれば、第１切込線４１が、押込片３１を構成する第１湾曲形状部３３１及び第２湾曲形状部３３２に実質的に沿うような湾曲形状を有していたとしても、第１切込線４１に沿って被包フィルム４が切断されたときに、第２切込線４２，４２により構成される引き裂き帯を把持し易く、より容易に包装製品１を開封することができる。
【００４８】
なお、第２切込線４２は、第１切込線４１に連続する一端部から他端部に向かって、それらの間隔が広がるように形成されていてもよいし（図９（Ａ）参照）、途中から互いに略平行になるように形成されていてもよい（図９（Ｂ）参照）。
【００４９】
被包フィルム４のうち、上面板３の略中央の所定の領域（上面板３が２つの押込片３１を有する場合、それらの間の領域）上に位置する部分（好ましくは、当該領域における８０ｍｍ×１５ｍｍの部分）の引張強度（Ｎ）と、包装製品１の総重量（ｋｇ）とが、下記式（１）に示す関係を有するのが好ましく、下記式（２）に示す関係を有するのがより好ましい。
【００５０】
Ａ≧０．６×ｇ×Ｂ  ・・・（１）
Ａ≧０．７×ｇ×Ｂ  ・・・（２）
式（１）及び（２）中、Ａは「被包フィルムの引張強度（Ｎ）」を、Ｂは「包装製品の総重量（ｋｇ）」を、ｇは「重力加速度（ｍ／ｓｅｃ2）」を表す。
【００５１】
被包フィルム４の引張強度と包装製品１の総重量とが上記式（１）に示す関係を有しないと、第１切込線４１に沿って被包フィルム４が切断され、押込片３１が押し込まれて形成される指差孔３４に手指を挿入して包装製品１を持ち運ぶときに、被包フィルム４が破損してしまうおそれがある。なお、上記引張強度（Ｎ）は、例えば、オートグラフ（島津製作所社製，製品名：ＡＧ−ＩＳ）を用いて、ドライ条件（室温：２３℃、相対湿度：５０％）にて測定され得る。
【００５２】
なお、本実施形態において、上面板３及び容器群を一括して覆い、それらに密着する被包フィルム４は、容器群の対向する一対の側面部に開口部を有する。
【００５３】
上述した構成を有する本実施形態に係る包装製品１は以下のようにして作製される。
まず、複数の容器２を並列してなる容器群の上面に上面板３を載置し、被包フィルム４を構成する略長方形状の熱収縮性樹脂フィルムシート（第１切込線４１及び第２切込線４２が形成されているシート）を、その両端部を容器群の底部で重ねるようにして上面板３及び容器群に巻き付ける。
【００５４】
そして、その状態のまま加熱して熱収縮性樹脂フィルムシートを熱収縮させる。このとき、加熱により、熱収縮性樹脂フィルムシートの両端部（容器群の底部にて重なる部分）が溶着するとともに、熱収縮性樹脂フィルムシートが上面板３及び容器群に密着する。このようにして、上面板３及び容器群を被包フィルム４にて一括して覆うことで、包装製品１が作製される。
【００５５】
このようにして作製された包装製品１は、例えば、段ボール製包装箱に複数個が纏めて収納されてなる段ボール包装製品や、ハーフトレイに複数個の包装製品１がまとめて収納され、それが一括して熱収縮性樹脂フィルムシートにより覆われてなる樹脂フィルム包装製品、複数個の包装製品１を並列させて一括して熱収縮性樹脂フィルムシートにより覆われてなる樹脂フィルム包装製品として出荷され得るものであり、包装製品１として店頭等に陳列されて販売され得る。
【００５６】
上述した本実施形態に係る包装製品１によれば、被包フィルム４における押込片３１上の部分に対して押圧することで、第１切込線４１に沿って当該被包フィルム４が容易に切断され、それと同時に押込片３１が容器群側に押し込まれて上面板３に指差孔３４が形成される。そのため、当該指差孔３４に手指を挿入することで、当該包装製品１を容易に持ち運ぶことができる。この場合において、本実施形態に係る包装製品１においては、容器群のみならず、上面板３もともに被包フィルム４にて一括して包装されていることで、十分な強度が奏されるため、指差孔３４に手指を挿入して持ち運ぶときに上面板３や被包フィルム４の破損等が発生しないという効果を奏する。
【００５７】
また、本実施形態に係る包装製品１によれば、第１切込線４１に連続する第２切込線４２が形成されていることで、第１切込線４１に沿って切断されて被包フィルム４に形成された切れ目や開口に手指を引っ掛けて第２切込線４２に沿って被包フィルム４を切断することができ、包装製品１を容易に開封することができるという効果も奏し得る。
【００５８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５９】
上記実施形態においては、２×３列で並列配置された６個の容器２を包装してなる包装製品１を例に挙げて説明したが、本発明はこのような態様に限定されるものではなく、例えば、２×１列に配列した２個の容器２、２×２列に配列した４個の容器２、３×３列に配列した９個の容器２、２×５列に配列した１０個の容器２を包装してなる包装製品１であってもよい。また、複数（例えば１２個）の容器２を２段に重ねた状態で並列させ（２×３列×２段）、上段の容器の上面を覆うように上面板３を載置し、当該容器群及び上面板３を被包フィルム４にて一括して包装してなる包装製品１であってもよい。
【００６０】
２×１列に配列した２個の容器２を包装してなる包装製品１においては、例えば、図１０に示すように、上面板３’の互いに対向する長辺３ａの略中央に、長辺３ａに略平行の基部３２０’と、基部３２０’の両端部にそれぞれから長辺３ａに至る２本の切込線３３０’とにより構成される押込片３１０’がそれぞれ設けられ、被包フィルム４における当該押込片３１０’に対応する位置に第１切込線４１’が形成され得る。
【００６１】
上記実施形態においては、上面板３の全面が被包フィルム４により覆われ、押込片３１に対応する位置に第１切込線４１が形成されているが、本発明はこのような態様に限定されるものではない。例えば、図１１（Ａ）に示すように、被包フィルム４は、押込片３１の少なくとも一部が露出するように、上面板３の略中央部分に対応する位置に開口部４４が形成されてなるものであってもよい。また、図１１（Ｂ）に示すように、被包フィルム４は、上面板３の複数の押込片３１，３１のそれぞれに対応する位置に開口部４４，４４が形成されてなるものであってもよい。上記実施形態に係る包装製品１のように、上面板３の全面が被包フィルム４により覆われ、押込片３１に対応する位置に第１切込線４１が形成されていることで、第１切込線４１に沿って被包フィルム４を切断し、押込片３１を容器群側に押し込んで指差孔３４を形成したときに、被包フィルム４の第１切込線４１に囲まれる部分も押込片３１とともに容器群側に押し込まれる。この場合において、指差孔３４に手指を挿入して包装製品１を持ち上げたときに、被包フィルム４の第１切込線４１に囲まれる部分（押込片３１とともに容器群側に押し込まれる部分）が包装製品１の外側に向かって摺り上がり、持ち上げた包装製品１が落下してしまうおそれがある。この点、図１１（Ａ）及び（Ｂ）に示す態様によれば、押込片３１上に被包フィルム４が存在せず、押込片３１のみが容器群側に押し込まれるため、持ち上げた包装製品１の落下を防止することができる。この場合において、被包フィルム４は、当該開口部４４の周縁に一端部が連続する切込線４５が形成されてなるものであるのが好ましい。かかる切込線４５が被包フィルム４に形成されていることで、当該切込線４５に沿って被包フィルム４を切断して、包装製品１を容易に開封することができる。
【００６２】
上記実施形態において、被包フィルム４は、上面板３の押込片３１に対応する位置に第１切込線４１が形成されてなるものであるが、本発明はこのような態様に限定されるものではなく、第１切込線４１が形成されていなくてもよい。包装製品１が、押圧により破断可能な程度の強度を有する被包フィルム４にて覆われているものであれば、押込片３１上から被包フィルムを押圧することで、被包フィルム４に切込みを形成しつつ、押込片３１を押し込んで指差孔３４を形成することができる。
【００６３】
上記実施形態においては、上面板３に押込片３１が設けられているものを例に挙げて説明したが、本発明は、このような態様に限定されるものではなく、上面板３に指差孔が形成されているものであってもよい。例えば、図１２に示すように、上面板３には、直線外縁部３５１及び湾曲外縁部３５２により構成される指差孔３５が形成されていてもよい。この場合において、被包フィルム４は、当該指差孔３５に対応する位置（例えば、図１２に示すように、指差孔３５の湾曲外縁部３５２に実質的に沿うよう）に第１切込線４１が形成されてなるものであってもよいし、第１切込線４１が形成されていないものであってもよい。また、第１切込線４１に連続する第２切込線４２が形成されていてもよい。
【実施例】
【００６４】
以下、実施例及び比較例を挙げて本発明をさらに詳細に説明するが、本発明は、下記の実施例等に何ら限定されるものではない。
【００６５】
〔実施例１〕
３５０ｍＬ缶ビール６本を２×３列で並列させ、当該缶ビールの上面を覆うように上面板３を載置し、熱収縮性樹脂フィルムを巻き付けた状態で１８０℃に加熱して、図１に示す構成を有する包装製品１（第２切込線４２，４２の幅（上面板３の短手方向の幅）：３７．５２ｍｍ）を作製した。なお、上面板として、マリコート（北越紀州製紙社製，坪量：２７０ｇ／ｍ2）を用い、熱収縮性フィルムとして、ポリエチレンフィルム（製品名：タフラップＰＭ−００２ＮＮ，東洋平成ポリマー社製，厚さ：５５μｍ）を用いた。
【００６６】
〔実施例２〕
上面板としてマリコート（北越紀州製紙社製，坪量：３５０ｇ／ｍ2）を用いた以外は、実施例１と同様にして包装製品１を作製した。
【００６７】
〔実施例３〕
上面板としてマリコート（北越紀州製紙社製，坪量：４５０ｇ／ｍ2）を用いた以外は、実施例１と同様にして包装製品１を作製した。
【００６８】
〔実施例４〕
上面板３として耐水紙（グラフィックパッケージ社製，製品名：アクアコート，坪量：３４５ｇ／ｍ2）を用いた以外は、実施例１と同様にして包装製品１を作製した。
【００６９】
〔実施例５〕
容器２として５００ｍＬ缶ビール６本を２×３列で並列させ、被包フィルム４としてポリエチレンフィルム（製品名：ＣＳシュリンク（ＣＳ５５），大倉工業社製，厚さ：５５μｍ）を用いた以外は、実施例１と同様にして包装製品１を作製した。
【００７０】
〔実施例６〕
被包フィルム４としてポリエチレンフィルム（製品名：ＣＳシュリンク（ＣＳ７０），大倉工業社製，厚さ：７０μｍ）を用いた以外は、実施例５と同様にして包装製品１を作製した。
【００７１】
〔実施例７〕
被包フィルム４の２本の第２切込線４２，４２の間の幅（上面板３の短手方向の幅）を１０ｍｍ小さくして２７．５２ｍｍとした以外は、実施例２と同様にして包装製品１を作製した。
【００７２】
〔実施例８〕
被包フィルム４の２本の第２切込線４２，４２の間の幅（上面板３の短手方向の幅）を２０ｍｍ小さくして１７．５２ｍｍとした以外は、実施例２と同様にして包装製品１を作製した。
【００７３】
〔実施例９〕
被包フィルム４の第２切込線４２，４２を図９（Ａ）に示す形状にし、２本の第２切込線４２，４２の一端部（第１切込線４１に連続する一端部）の間の幅（上面板３の短手方向の幅）を２７．５２ｍｍとし、２本の第２切込線４２，４２の他端部の間の幅（上面板３の短手方向の幅）を３７．５２ｍｍとした以外は、実施例２と同様にして包装製品１を作製した。
【００７４】
〔実施例１０〕
被包フィルム４の第２切込線４２，４２を図９（Ｂ）に示す形状にし、２本の第２切込線４２，４２の一端部（第１切込線４１に連続する一端部）の間の幅（上面板３の短手方向の幅）を２７．５２ｍｍとし、２本の第２切込線４２，４２の他端部の間の幅（上面板３の短手方向の幅）を３７．５２ｍｍとした以外は、実施例２と同様にして包装製品１を作製した。
【００７５】
〔比較例１〕
容器２の上面を覆う上面板３を載置せず、複数の容器２を被包フィルム４により一括して覆うようにした以外は、実施例１と同様にして包装製品を作製した。
【００７６】
〔試験例１〕引張強度試験
実施例１〜４及び比較例１の包装製品の底部を拘束した状態で、オートグラフ（島津製作所社製，製品名：ＡＧ−ＩＳ）を用いて、２つの指差孔３４，３４の間の部分を２００ｍｍ／分で引っ張り、引張強度（Ｎ）を測定した（室温：２３℃、相対湿度：５０％）。結果を表１に示す。なお、参考例１として、従来公知の紙製のマルチパック包装箱に３５０ｍＬ缶ビール６本を包装してなるものの引張強度（Ｎ）の測定値もあわせて表１に示す。
【００７７】
【表１】
2016052899.tif 000003
【００７８】
一般に、包装製品としての引張強度が、包装製品１の総重量（Ｎ）の３倍以上であれば、ハンドリング特性としての問題が生じない。表１に示す結果から明らかなように、上面板３を有する実施例１〜４の包装製品においては、参考例１（従来公知の紙製のマルチパック包装箱）よりは引張強度が劣るものの、包装製品１に包装される容器２の総重量（２．１ｋｇ＝２０．５８Ｎ）の３倍以上の引張強度を有し、包装製品としての十分な引張強度を有することが確認された。一方、上面板３を有しない比較例１においては、引張強度が不十分であることが確認された。
【００７９】
〔試験例２〕フィルム強度試験
実施例１、実施例５及び実施例６の包装製品１の底部を拘束した状態で、オートグラフ（島津製作所社製，製品名：ＡＧ−ＩＳ）を用いて、２つの指差孔３４，３４の間の被包フィルム４のみを３００ｍｍ／分で引っ張り、引張強度（Ｎ）を測定した（室温：２３℃、相対湿度：５０％）。引張強度Ａ（Ｎ）の測定結果、並びに当該引張強度の測定値を包装製品１の総重量Ｂ（ｋｇ）及び重力加速度ｇ（ｍ／ｓｅｃ2）で除算した値（比引張強度）を表２に示す。
【００８０】
【表２】
2016052899.tif 000004
【００８１】
実施例１、実施例５及び実施例６の上記フィルム強度試験の結果から、引張強度と包装製品１の総重量（Ｎ）との関係を示す下記近似式を求めた。
Ｙ＝０．１６８１Ｘ＋４．９５２４
上記式中、Ｙは「引張強度（Ｎ）」を表し、Ｘは「包装製品１の総重量（Ｎ）の３倍値」を表す。
【００８２】
上記近似式から、包装製品１が、容量５００ｍＬの容器を６本まとめて包装してなるものである場合、被包フィルム４が、１９．７７８２Ｎ以上の引張強度を有していれば、ハンドリング特性として問題がないと考えられる。そのため、この場合の比引張強度としては、０．６７以上であればよいと推察される。
【００８３】
また、包装製品１が、容量３５０ｍＬの容器を６本まとめて包装してなるものである場合、被包フィルム４が、１５．３３０８９Ｎ以上の引張強度を有していれば、ハンドリング特性として問題がないと考えられる。そのため、この場合の比引張強度としては、０．７４以上であればよいと推察される。
【００８４】
〔試験例３〕ハンドリング特性試験
実施例１〜６及び比較例１の包装製品について、指差孔３４（比較例１においては被包フィルムの第１切込線に沿って切断して形成された孔）に手指を挿入して持ち上げた状態で揺動させて、包装製品（上面板、被包フィルム）の破損及び缶ビールの脱落の有無を試験した。なお、上記揺動は、腕を前後方向に５回振った後、左右方向に５回振り、最後に５回手首を回転させた。試験条件としては、ドライ条件（室温：２３℃、相対湿度：５０％）にて行った。
【００８５】
その結果、実施例１〜１０の包装製品においては、包装製品（上面板、被包フィルム）の破損や缶ビールの脱落は発生せず、十分なハンドリング特性を示すことが確認された。また、試験例２の結果も合わせると、２つの押込片３１の間の領域上に位置する部分の被包フィルム４の引張強度と、包装製品１の総重量とが、下記式（１）に示す関係を有することで、十分なハンドリング特性を示し得ると考えられる。
【００８６】
Ａ≧０．６×ｇ×Ｂ  ・・・（１）
式（１）及び（２）中、Ａは「被包フィルムの引張強度（Ｎ）」を、Ｂは「包装製品の総重量（ｋｇ）」を、ｇは「重力加速度（ｍ／ｓｅｃ2）」を表す。
【００８７】
一方、比較例１の包装製品においては、包装製品（上面板、被包フィルム）の破損が生じてしまい、ハンドリング特性が不十分であることが確認された。
【００８８】
〔試験例４〕開封性試験
実施例２及び実施例７〜１０の包装製品１の第１切込線４１に沿って被包フィルム４を切断するとともに押込片３１を容器群側に押し込んで指差孔３４を形成した後、２本の第２切込線４２，４２の間の引き裂き帯を持って、第２切込線４２，４２に沿って被包フィルム４を切断することで、包装製品１の開封性を試験した。
【００８９】
かかる試験としては、被験者（一般男性５名）による官能評価試験を行った。具体的には、各被験者に実施例２及び実施例７〜１０の包装製品１の第２切込線４２，４２に沿って被包フィルム４を切断させ、実施例２及び実施例７〜１０の包装製品１の開封性を評価させた。
【００９０】
その結果、各被験者ともに、実施例２の開封性が最も良好であって、実施例７、実施例９及び実施例１０の包装製品１においては、実施例２よりも若干劣るものの開封性が良好であるとの評価であった。一方、実施例８の包装製品１においては、開封性が良好ではないとの評価であった。この結果から、第２切込線４２，４２の間の幅（上面板３の短手方向の幅）を小さくしすぎると、包装製品の開封性が劣る可能性があることが明らかとなった。
【産業上の利用可能性】
【００９１】
本発明の包装製品は、一定数量の缶ビール、缶入り発泡酒、缶入りチューハイ、缶ジュース、缶コーヒー、缶入り紅茶、缶入り緑茶等の飲料缶等をまとめて包装するための包装用品として有用である。
【符号の説明】
【００９２】
１…包装製品
２…容器
３，３’…上面板
３１，３１’，３１０’…押込片
３２，３２’，３２０’…基部
３３，３３’，３３０’…切込線
３５…指差孔
４…被包フィルム
４１，４１’，４１１，４１２，４１３，４１４…第１切込線
４２…第２切込線
【図１】
2016052899.tif 000005
【図２】
2016052899.tif 000006
【図３】
2016052899.tif 000007
【図４】
2016052899.tif 000008
【図５】
2016052899.tif 000009
【図６】
2016052899.tif 000010
【図７】
2016052899.tif 000011
【図８】
2016052899.tif 000012
【図９】
2016052899.tif 000013
【図１０】
2016052899.tif 000014
【図１１】
2016052899.tif 000015
【図１２】
2016052899.tif 000016